(57)【要約】【課題】家庭用接着剤又は業務用接着剤に分けて接着適用条件を指定し、それぞれの接着剤について最適な一の接着剤商品を選定しその商品情報を表示する。【解決手段】家庭用接着剤を対象とする商品情報を格納した第１のデータ群Ｄ1と業務用接着剤を対象とする商品情報を格納した第２のデータ群Ｄ2とを有するデータベース１の上記第１のデータ群Ｄ1又は第２のデータ群Ｄ2を用いて、接着適用条件に合致する一の家庭用接着剤又は業務用接着剤を選定する選定処理手段（５ｈ，５ｐ）を備えたサーバ２に対して、通信ネットワーク４を介して接続された情報端末装置３により、上記サーバ２に対して家庭用接着剤又は業務用接着剤に分けて第一に適用場所、第二に接着箇所の材質の順で接着適用条件を指定し、該サーバ２の選定処理手段（５ｈ，５ｐ）で選定された一の接着剤商品の商品情報のうち少なくとも商品名を情報端末装置３の画面に表示するものである。【選択図】図１
2010066879.tif 000002
【特許請求の範囲】
【請求項１】
家庭用接着剤を対象としてその適用場所を示す場所データ及び接着箇所の材質を示す材質データ、接着箇所の状態を示す状態データ並びに選定されるべき複数の接着剤商品を示す商品情報を格納した第１のデータ群と、業務用接着剤を対象としてその適用場所を示す場所データ及び接着箇所の材質を示す材質データ並びに選定されるべき複数の接着剤商品を示す商品情報を格納した第２のデータ群とを有するデータベースと、
上記データベースの第１のデータ群又は第２のデータ群を用いて、接着適用条件に合致する一の家庭用接着剤又は業務用接着剤を選定する選定処理手段を備えたサーバと、
上記サーバに対して通信ネットワークを介して接続され、所望の家庭用接着剤又は業務用接着剤を選定するための情報を上記選定処理手段に送信すると共に、該選定処理手段で選定された一の接着剤商品の商品情報を受信する情報端末装置と、を備えて成り、
上記情報端末装置によりサーバに対して家庭用接着剤又は業務用接着剤に分けて第一に適用場所、第二に接着箇所の材質の順で接着適用条件を指定し、該サーバの選定処理手段で選定された一の接着剤商品の商品情報のうち少なくとも商品名を情報端末装置の画面に表示するようにしたことを特徴とする通信ネットワークを介した接着剤選定システム。
【請求項２】
上記情報端末装置は、上記サーバの選定処理手段で選定された一の接着剤商品に対応する商品詳細説明、商品使用説明、安全情報等の商品情報をも表示することを特徴とする請求項１記載の通信ネットワークを介した接着剤選定システム。
【請求項３】
上記情報端末装置は、上記サーバに対して通信ネットワークを介して接続するための２次元コードを読み取る手段を備えていることを特徴とする請求項１又は２記載の通信ネットワークを介した接着剤選定システム。
【請求項４】
上記情報端末装置は、携帯端末装置であることを特徴とする請求項１〜３のいずれか１項に記載の通信ネットワークを介した接着剤選定システム。
【発明の詳細な説明】
【技術分野】
【０００１】
本発明は、多種多様な種類の接着剤、補修剤、シーリング材等（以下単に「接着剤」という）の中から接着適用箇所に最も適した性能を有する接着剤を通信ネットワークを介して選定する接着剤選定システムに関し、詳しくは、家庭用接着剤又は業務用接着剤に分けて接着適用条件を指定し、それぞれの接着剤について最適な一の接着剤商品を選定しその商品情報を表示する通信ネットワークを介した接着剤選定システムに係るものである。
【背景技術】
【０００２】
従来、接着剤、補修剤、シーリング材等の接着剤は、工事施工業者や大工等の専門職人向けに専門の取扱店や金物店などで販売されてきた。しかし、近年では、スーパーマーケットや量販店、ホームセンター等の様々な業態の店舗において、多種多様な種類の接着剤が販売されるようになってきた。そして、これらの接着剤の購買層は、従来の専門職人だけではなく、人々のニーズや生活様式の多様化に伴って一般の需要者にも拡大してきている。
【０００３】
この場合、接着剤について特別な知識を有しない一般需要者が、多種多様な種類の接着剤の中から自分の所望する最適な接着剤商品を選定することは困難である。このような状況に鑑みて、接着剤の製造、販売業者は、各接着剤商品のパッケージに説明書きを付したり、紙媒体のカタログやインターネット上のウェブページ等で商品情報を公開して一般の利用に供している。例えば、接着素材及び被接着素材間の組み合わせを選択することにより最適な接着剤商品を選定できるような早見表が、紙媒体やインターネット上で提供されている。しかし、これらの商品情報を利用したとしても、一般需要者が所望する最適な接着剤商品を選定するのは難しい。
【０００４】
これに対して、一般需要者が適切な接着剤を選定し購入できるようにするための通信ネットワークを介した接着剤種別選定システムが提供されている。この接着剤種別選定システムは、接着素材及び被接着素材に応じた接着適性を各種接着剤の商品情報として有する接着剤種別データ並びに該接着剤種別データから接着素材及び被接着素材に適した接着剤の商品情報を選定する接着剤選定処理手段を備えるサーバと、該サーバに対して通信ネットワークを介して接続し、所望の接着素材及び被接着素材を指定可能な携帯端末と、該接着剤種別データに対応する接着剤パッケージ群が陳列されている商品陳列棚とからなり、前記サーバは、前記携帯端末からの接着素材及び被接着素材の指定に基づいて、前記接着剤種別データから適切な種別の接着剤の商品情報を選定し、該携帯端末の画面上に表示することにより、前記商品陳列棚に陳列されている接着剤パッケージ群から接着素材及び被接着素材に適した接着適性を有する接着剤の商品情報を携帯端末に提供するようにしたものである（例えば、特許文献１参照）。
【特許文献１】特開２００７−５２７４５号公報
【発明の開示】
【発明が解決しようとする課題】
【０００５】
しかし、上記従来の通信ネットワークを介した接着剤種別選定システムにおいては、接着剤種別データは各種接着剤の商品情報として接着素材及び被接着素材に応じた接着適性を有するだけであり、接着剤選定処理手段は上記接着素材及び被接着素材に適した接着剤を選定しているので、携帯端末からの接着素材及び被接着素材の指定に基づいて選定される接着剤は、家庭用接着剤又は業務用接着剤の区分、接着剤の適用場所、接着箇所の状態等の限定がない状態にて、上記接着素材及び被接着素材の組み合わせに応じた接着適性を有する接着剤が複数個存在することがある。したがって、この接着剤種別選定システムを利用する一般需要者は、携帯端末の画面上に表示される接着材の商品情報を読んで、最終的には接着適性を自分で判断して適当と思われる一の接着剤商品を選定する必要があった。この場合、一般需要者が複数個の接着剤の中から一の接着剤を選定するのに手間と時間がかかると共に、接着剤について特別な知識を有しないことから最適な一の接着剤商品を選定するのが難しいものであった。
【０００６】
そこで、本発明は、このような問題点に対処し、家庭用接着剤又は業務用接着剤に分けて接着適用条件を指定し、それぞれの接着剤について最適な一の接着剤商品を選定しその商品情報を表示する通信ネットワークを介した接着剤選定システムを提供することを目的とする。
【課題を解決するための手段】
【０００７】
上記目的を達成するために、本発明による通信ネットワークを介した接着剤選定システムは、家庭用接着剤を対象としてその適用場所を示す場所データ及び接着箇所の材質を示す材質データ、接着箇所の状態を示す状態データ並びに選定されるべき複数の接着剤商品を示す商品情報を格納した第１のデータ群と、業務用接着剤を対象としてその適用場所を示す場所データ及び接着箇所の材質を示す材質データ並びに選定されるべき複数の接着剤商品を示す商品情報を格納した第２のデータ群とを有するデータベースと、上記データベースの第１のデータ群又は第２のデータ群を用いて、接着適用条件に合致する一の家庭用接着剤又は業務用接着剤を選定する選定処理手段を備えたサーバと、上記サーバに対して通信ネットワークを介して接続され、所望の家庭用接着剤又は業務用接着剤を選定するための情報を上記選定処理手段に送信すると共に、該選定処理手段で選定された一の接着剤商品の商品情報を受信する情報端末装置とを備えて成り、上記情報端末装置によりサーバに対して家庭用接着剤又は業務用接着剤に分けて第一に適用場所、第二に接着箇所の材質の順で接着適用条件を指定し、該サーバの選定処理手段で選定された一の接着剤商品の商品情報のうち少なくとも商品名を情報端末装置の画面に表示するようにしたものである。
【０００８】
このような構成により、家庭用接着剤を対象とする商品情報を格納した第１のデータ群と業務用接着剤を対象とする商品情報を格納した第２のデータ群とを有するデータベースの上記第１のデータ群又は第２のデータ群を用いて、接着適用条件に合致する一の家庭用接着剤又は業務用接着剤を選定する選定処理手段を備えたサーバに対して、通信ネットワークを介して接続された情報端末装置により、上記サーバに対して家庭用接着剤又は業務用接着剤に分けて第一に適用場所、第二に接着箇所の材質の順で接着適用条件を指定し、該サーバの選定処理手段で選定された一の接着剤商品の商品情報のうち少なくとも商品名を情報端末装置の画面に表示する。
【０００９】
また、上記情報端末装置は、上記サーバの選定処理手段で選定された一の接着剤商品に対応する商品詳細説明、商品使用説明、安全情報等の商品情報をも表示するものである。これにより、上記サーバの選定処理手段で選定された一の接着剤商品の商品名以外に、その商品に対応する商品詳細説明、商品使用説明、安全情報等の商品情報をも表示する。
【００１０】
さらに、上記情報端末装置は、上記サーバに対して通信ネットワークを介して接続するための２次元コードを読み取る手段を備えている。これにより、情報端末装置に備えられた読取り手段によって、上記サーバに対して通信ネットワークを介して接続するための２次元コードを読み取る。
【００１１】
さらにまた、上記情報端末装置は、携帯端末装置である。これにより、携帯電話等の携帯端末装置によって、通信ネットワークを介してサーバに対して家庭用接着剤又は業務用接着剤に分けて接着適用条件を指定し、該サーバの選定処理手段で選定された一の接着剤商品の商品情報を携帯端末装置の画面に表示する。
【発明の効果】
【００１２】
請求項１に係る発明によれば、家庭用接着剤を対象とする商品情報を格納した第１のデータ群と業務用接着剤を対象とする商品情報を格納した第２のデータ群とを有するデータベースの上記第１のデータ群又は第２のデータ群を用いて、接着適用条件に合致する一の家庭用接着剤又は業務用接着剤を選定する選定処理手段を備えたサーバに対して、通信ネットワークを介して接続された情報端末装置により、上記サーバに対して家庭用接着剤又は業務用接着剤に分けて第一に適用場所、第二に接着箇所の材質の順で接着適用条件を指定し、該サーバの選定処理手段で選定された一の接着剤商品の商品情報のうち少なくとも商品名を情報端末装置の画面に表示することができる。したがって、家庭用接着剤又は業務用接着剤について最適な一の接着剤商品を選定しその商品名を表示することができる。この場合、一般需要者は、接着剤について特別な知識を有しなくても容易かつ短時間に最適な一の接着剤商品の商品情報を得ることができる。
【００１３】
また、請求項２に係る発明によれば、情報端末装置は、サーバの選定処理手段で選定された一の接着剤商品に対応する商品詳細説明、商品使用説明、安全情報等の商品情報をも表示することにより、上記サーバの選定処理手段で選定された一の接着剤商品の商品名以外に、その商品に対応する商品詳細説明、商品使用説明、安全情報等の商品情報も併せて表示することができる。したがって、選定された一の接着剤商品についてさらに詳しい商品情報を得ることができる。
【００１４】
さらに、請求項３に係る発明によれば、情報端末装置は、サーバに対して通信ネットワークを介して接続するための２次元コードを読み取る手段を備えていることにより、情報端末装置に備えられた読取り手段によって、上記サーバに対して通信ネットワークを介して接続するための２次元コードを読み取ることができる。したがって、スーパーマーケットやホームセンター、販売店等の店舗に陳列された各接着剤商品、又は接着剤商品のカタログ若しくは広告等に付された２次元コードを情報端末装置で読み取って、通信ネットワークを介してサーバに対して容易に接続することができる。
【００１５】
さらにまた、請求項４に係る発明によれば、情報端末装置は携帯端末装置であることにより、携帯電話等の携帯端末装置によって、通信ネットワークを介してサーバに対して家庭用接着剤又は業務用接着剤に分けて接着適用条件を指定し、該サーバの選定処理手段で選定された一の接着剤商品の商品情報を携帯端末装置の画面に表示することができる。したがって、スーパーマーケットやホームセンター、販売店等の店舗においてもこの接着剤選定システムを利用することができる。
【発明を実施するための最良の形態】
【００１６】
以下、本発明の実施形態を添付図面に基づいて詳細に説明する。
図１は本発明による通信ネットワークを介した接着剤選定システムの実施形態を示す図である。この通信ネットワークを介した接着剤選定システムは、家庭用接着剤又は業務用接着剤に分けて接着適用条件を指定し、それぞれの接着剤について最適な一の接着剤商品を選定しその商品情報を表示するもので、図１に示すように、データベース１と、サーバ２と、情報端末装置３とを備えて成る。なお、図１において、符号４は、上記サーバ２に対して情報端末装置３を接続するインターネット等の通信ネットワークを示している。
【００１７】
上記データベース１は、選択対象としての家庭用接着剤及び業務用接着剤に関する各種のデータを格納したもので、第１のデータ群Ｄ1と、第２のデータ群Ｄ2とを有している。なお、ここで言う接着剤とは、多種多様な種類の接着剤、補修剤、シーリング材等を含むものである。
【００１８】
上記第１のデータ群Ｄ1は、家庭用接着剤を対象としてその適用場所を示す場所データＨ1及び接着箇所の材質を示す材質データＨ2、接着箇所の状態を示す状態データＨ3並びに選定されるべき複数の接着剤商品を示す商品情報Ｈ4が格納されている。場所データＨ1としては、例えば住まいの内部、水回り、屋外等がある。材質データＨ2としては、例えばクロス壁、板壁等がある。状態データＨ3としては、例えばキズ、はがれ等がある。商品情報Ｈ4としては、多種多様な種類の家庭用接着剤の商品名、その商品に対応する商品詳細説明（耐水性、耐熱性、耐久性及び硬化後の色調等の説明）、商品使用説明、安全情報等がある。
【００１９】
上記第２のデータ群Ｄ2は、業務用接着剤を対象としてその適用場所を示す場所データＰ1及び接着箇所の材質を示す材質データＰ2並びに選定されるべき複数の接着剤商品を示す商品情報Ｐ3が格納されている。場所データＰ1としては、例えばモルタルコンクリート・耐水性なし、モルタルコンクリート・耐水性あり等がある。材質データＰ2としては、例えばビニル床タイル、クッションフロアー等がある。商品情報Ｐ3としては、多種多様な種類の業務用接着剤の商品名、その商品に対応する商品詳細説明（耐水性、耐熱性、耐久性及び硬化後の色調等の説明）、商品使用説明、安全情報等がある。
【００２０】
上記データベース１には、サーバ２が接続されている。このサーバ２は、上記データベース１の第１のデータ群Ｄ1又は第２のデータ群Ｄ2を用いて、接着適用条件に合致する一の家庭用接着剤又は業務用接着剤を選定するもので、その内部には、家庭用接着剤選定処理部５ｈ及び業務用接着剤選定処理部５ｐを備えている。家庭用接着剤選定処理部５ｈは、上記データベース１の第１のデータ群Ｄ1に接続されており、該第１のデータ群Ｄ1を用いて、後述の情報端末装置３により指定された接着適用条件に合致する一の家庭用接着剤を選定するものである。また、業務用接着剤選定処理部５ｐは、上記データベース１の第２のデータ群Ｄ2に接続されており、該第２のデータ群Ｄ2を用いて、後述の情報端末装置３により指定された接着適用条件に合致する一の業務用接着剤を選定するものである。そして、上記家庭用接着剤選定処理部５ｈ及び業務用接着剤選定処理部５ｐで、選定処理手段を構成している。なお、図１において、符号６は、通信ネットワーク４との接続を行うインターフェイス部を示している。
【００２１】
なお、上記サーバ２は、いわゆるウェブサーバ用コンピュータであり、図示は省略したが、中央演算処理装置（ＣＰＵ）、主記憶装置、補助記憶装置（ハードディスク等）、入力装置（キーボード、マウス等）、出力装置（モニタ、プリンタ等）を備え、ＡＤＳＬや光ファイバ等の通信回線を介して通信ネットワーク４に接続され、インターネット上にウェブページを公開する機能を有している。
【００２２】
上記サーバ２には、通信ネットワーク４を介して情報端末装置３が接続されている。この情報端末装置３は、一般需要者又は専門職人が所望の家庭用接着剤又は業務用接着剤を選定するための情報を上記サーバ２の家庭用接着剤選定処理部５ｈ又は業務用接着剤選定処理部５ｐに送信すると共に、該家庭用接着剤選定処理部５ｈ又は業務用接着剤選定処理部５ｐで選定された一の接着剤商品の商品情報を受信するもので、例えばパーソナルコンピュータから成る。そして、上記情報端末装置３は、上記家庭用接着剤選定処理部５ｈ又は業務用接着剤選定処理部５ｐで選定された一の接着剤商品の商品情報のうち少なくとも商品名をその画面に表示し、さらにその商品に対応する商品詳細説明、商品使用説明、安全情報等の商品情報をも表示するようになっている。
【００２３】
また、上記情報端末装置３は、一般需要者又は専門職人が容易に携帯可能な携帯端末装置であってもよい。例えば、通信ネットワーク（インターネット）４に接続してウェブページを閲覧可能なノート型のパーソナルコンピュータ、或いは、携帯電話であってもよい。
【００２４】
さらに、上記情報端末装置３、特に携帯端末装置は、上記サーバ２に対して通信ネットワーク４を介して接続するための２次元コードを読み取る手段を備えているのが望ましい。この２次元コードは、携帯端末装置（３）からサーバ２へのインターネット（４）を介してのアクセスを容易にするためのもので、例えばＱＲコード（登録商標）である。このＱＲコード（登録商標）等の２次元コードの読取手段を備えることで、スーパーマーケットやホームセンター、販売店等の店舗に陳列された各接着剤商品、又は接着剤商品のカタログ若しくは広告等に付された２次元コードを携帯端末装置（３）で読み取って、通信ネットワーク４を介してサーバ２に対して容易に接続することができる。
【００２５】
そして、このように構成された通信ネットワークを介した接着剤選定システムを用いて、上記情報端末装置３によりサーバ２に対して家庭用接着剤又は業務用接着剤に分けて第一に適用場所、第二に接着箇所の材質の順で接着適用条件を指定し、該サーバ２の選定処理手段（家庭用接着剤選定処理部５ｈ又は業務用接着剤選定処理部５ｐ）で選定された一の接着剤商品の商品情報のうち少なくとも商品名を情報端末装置３の画面に表示するようになっている。
【００２６】
次に、上記のように構成された通信ネットワークを介した接着剤選定システムの処理動作又は接着剤選定方法について、図２〜図５を参照して説明する。図２及び図４は、情報端末装置３として携帯電話を用いた場合の処理の流れを示すフローチャートであり、図３及び図５は、それぞれ図２及び図４に示す処理の流れにおける携帯電話の画面表示例を示す説明図である。
【００２７】
まず、図１において、一般需要者又は専門職人が情報端末装置（携帯電話）３を用いて、通信ネットワーク４を介してサーバ２にアクセスする。ここでは、一般需要者が通信ネットワーク４を介してサーバ２にアクセスするとする。すると、図３に示すように、携帯電話の画面に接着剤選定システムのトップページ７が表示される。このトップページ７には、家庭用接着剤又は業務用接着剤に分けて接着適用条件を指定するために、例えば「家庭用」、「床施工工事用」、「壁施工工事用」、「シーリング工事用」等に分けてリンクが設けられている。
【００２８】
ここでは、一般需要者が家庭用接着剤を対象として所望する接着剤商品を選定するとして、図３に示すトップページ７において「家庭用」に入る、を指示する。すると、その信号が図１に示す通信ネットワーク４を介してサーバ２に送られ、インターフェイス部６を通して家庭用接着剤選定処理部５ｈに送られる。そして、携帯電話の画面には、図２に示すように、家庭用ページ７ａが表示される。このとき、接着剤選定システムのウェブサイトにおける使用上の注意事項等を記載した注意ページ７ｂが、図２及び図３に示すように表示されるので、これを参照する。
【００２９】
次に、図２に示す家庭用ページ７ａにおいて、第一の選択項目として接着剤の適用場所を指示すると、図２及び図３に示すように、場所選択ページ７ｃが表示される。この場所選択ページ７ｃは、接着剤の適用場所を選択するもので、図２において、いわゆるプルダウンメニュー形式で選択メニュー８が表示される。プルダウンメニューとしては、例えば、住まいの内部、水回り、屋外等の選択肢が予め設けられており、それらのうちの一つを選択する。そして、一つの選択肢を選択したら、図３に示す場所選択ページ７ｃに設けられたリンク「決定」を指示して、適用場所を指定する。
【００３０】
ここで、第一の選択項目として接着剤の適用場所を指定することによって、接着剤に必要な基本的な性状が特定される。例えば、「住まいの内部」に適用されるのであれば、耐水性や耐候性は考慮しなくてもよいし、逆に臭気等には配慮しなければならない。また、「水回り」に適用されるのであれば、耐水性が重視される。さらに、「屋外」に適用されるのであれば、耐候性や耐久性、耐水性等が重視される。このように、第一の選択項目として接着剤の適用場所を指定することによって、その後の選択肢がより的確に絞り込まれ、その結果としてより少ないステップで最適な一の接着剤商品を選定することが可能となる。
【００３１】
上記のように、場所選択ページ７ｃで適用場所が決定されると、その信号がサーバ２の家庭用接着剤選定処理部５ｈに送られる。このとき、図３に示す場所選択ページ７ｃには、必要に応じて家庭用ページ７ａに戻るためのリンク「家庭用ページへ」が設けられており、これを指示することで家庭用ページ７ａに戻ることができる。この場合、図２において、結合子Ａを介して家庭用ページ７ａにステップが戻る。
【００３２】
次に、以上のように場所選択ページ７ｃで適用場所が決定されると、図２及び図３に示すように、第二の選択項目として材質、状態選択ページ７ｄが表示される。この材質、状態選択ページ７ｄは、接着箇所の材質、接着箇所の状態を選択するもので、図２において、初めにプルダウンメニュー形式で材質選択メニュー９が表示される。プルダウンメニューとしては、例えば、クロス壁、板壁等の選択肢が予め設けられており、それらのうちの一つを選択する。次に、同じくプルダウンメニュー形式で状態選択メニュー１０が表示される。プルダウンメニューとしては、例えば、キズ、はがれ等の選択肢が予め設けられており、それらのうちの一つを選択する。そして、接着箇所の材質、状態について一つずつ選択肢を選択したら、図３に示す材質、状態選択ページ７ｄに設けられたリンク「決定」を指示して、接着箇所の材質及び接着箇所の状態について指定する。
【００３３】
上記のように、材質、状態選択ページ７ｄで接着箇所の材質、状態について決定されると、その信号がサーバ２の家庭用接着剤選定処理部５ｈに送られる。このとき、図３に示す材質、状態選択ページ７ｄには、必要に応じて前ページの場所選択ページ７ｃに戻るためのリンク「場所選択ページへ」が設けられており、これを指示することで場所選択ページ７ｃに戻ることができる。この場合、図２において、結合子Ｂを介して場所選択ページ７ｃにステップが戻る。また、最初の家庭用ページ７ａに戻るためのリンク「家庭用ページへ」が設けられており、これを指示することで家庭用ページ７ａに戻ることができる。この場合、図２において、結合子Ａを介して家庭用ページ７ａにステップが戻る。
【００３４】
次に、以上のように材質、状態選択ページ７ｄで接着箇所の材質、状態について決定されると、図２及び図３に示すように、選定結果ページ７ｅが表示される。この選定結果ページ７ｅは、図１に示す情報端末装置３によりサーバ２の家庭用接着剤選定処理部５ｈ及びデータベース１の第１のデータ群Ｄ1にアクセスして順次接着適用条件を指定し、該サーバ２の家庭用接着剤選定処理部５ｈで選定された一の接着剤商品の商品情報を情報端末装置３の画面に表示するもので、図２において、携帯電話の画面１１に選定された商品の商品名が表示され、さらに必要に応じてその商品の画像が表示される。そして、この状態で一の接着剤商品を決定したら、図３に示す選定結果ページ７ｅに設けられたリンク「決定」を指示して、商品決定を指定する。
【００３５】
上記のように、選定結果ページ７ｅで一の接着剤商品が決定されると、その信号がサーバ２の家庭用接着剤選定処理部５ｈに送られる。このとき、図３に示す選定結果ページ７ｅには、必要に応じて前ページの材質、状態選択ページ７ｄに戻るためのリンク「材質、状態選択ページへ」が設けられており、これを指示することで材質、状態選択ページ７ｄに戻ることができる。この場合、図２において、結合子Ｃを介して材質、状態選択ページ７ｄにステップが戻る。また、最初の家庭用ページ７ａに戻るためのリンク「家庭用ページへ」が設けられており、これを指示することで家庭用ページ７ａに戻ることができる。この場合、図２において、結合子Ａを介して家庭用ページ７ａにステップが戻る。
【００３６】
次に、以上のように選定結果ページ７ｅで一の接着剤商品が決定されると、「商品の詳細はこちら」のリンクを指示して、図２及び図３に示すように、商品詳細ページ７ｆが表示される。この商品詳細ページ７ｆは、図１に示すサーバ２の家庭用接着剤選定処理部５ｈで選定された一の接着剤商品に対応する商品詳細説明、商品使用説明、安全情報等の商品情報を表示するもので、図２において、携帯電話の画面１１’に選定された商品の詳細な商品情報が表示され、さらに必要に応じてその商品の画像が表示される。
【００３７】
上記のように、商品詳細ページ７ｆで商品の詳細な商品情報が表示されると、図３に示す商品詳細ページ７ｆには、必要に応じて前ページの選定結果ページ７ｅに戻るためのリンク「前ページへ」が設けられており、これを指示することで選定結果ページ７ｅに戻ることができる。この場合、図２において、結合子Ｄを介して選定結果ページ７ｅにステップが戻る。また、最初の家庭用ページ７ａに戻るためのリンク「家庭用ページへ」が設けられており、これを指示することで家庭用ページ７ａに戻ることができる。この場合、図２において、結合子Ａを介して家庭用ページ７ａにステップが戻る。これにより、一般需要者が家庭用接着剤を対象として一の接着剤商品を、通信ネットワークを介して選定する処理が終了する。
【００３８】
次に、専門職人が業務用接着剤を対象として所望する接着剤商品を選定するとして、図５に示すトップページ７において「床施工工事用」、「壁施工工事用」、「シーリング工事用」のうち「床施工工事用」に入る、を指示する。すると、その信号が図１に示す通信ネットワーク４を介してサーバ２に送られ、インターフェイス部６を通して業務用接着剤選定処理部５ｐに送られる。そして、携帯電話の画面には、図４に示すように、業務用（床施工工事用）ページ１２ａが表示される。このとき、接着剤選定システムのウェブサイトにおける使用上の注意事項等を記載した注意ページ１２ｂが、図４及び図５に示すように表示されるので、これを参照する。
【００３９】
次に、図４に示す床施工工事用ページ１２ａにおいて、第一の選択項目として接着剤の適用場所を指示すると、図４及び図５に示すように、場所選択ページ１２ｃが表示される。この場所選択ページ１２ｃは、接着剤の適用場所を選択するもので、図４において、いわゆるプルダウンメニュー形式で選択メニュー１３が表示される。プルダウンメニューとしては、例えば、モルタルコンクリート・耐水性なし、モルタルコンクリート・耐水性あり等の選択肢が予め設けられており、それらのうちの一つを選択する。そして、一つの選択肢を選択したら、図５に示す場所選択ページ１２ｃに設けられたリンク「決定」を指示して、適用場所を指定する。
【００４０】
ここで、第一の選択項目として接着剤の適用場所を指定することによって、接着剤に必要な基本的な性状が特定される。例えば、「モルタルコンクリートの耐水性が必要でない下地材」に適用されるのであれば、耐水性は考慮しなくてもよい。また、「モルタルコンクリートの耐水性が必要な下地材」に適用されるのであれば、耐水性が重視される。このように、第一の選択項目として接着剤の適用場所を指定することによって、その後の選択肢がより的確に絞り込まれ、その結果としてより少ないステップで最適な一の接着剤商品を選定することが可能となる。
【００４１】
上記のように、場所選択ページ１２ｃで適用場所が決定されると、その信号がサーバ２の業務用接着剤選定処理部５ｐに送られる。このとき、図５に示す場所選択ページ１２ｃには、必要に応じて床施工工事用ページ１２ａに戻るためのリンク「床施工工事用ページへ」が設けられており、これを指示することで床施工工事用ページ１２ａに戻ることができる。この場合、図４において、結合子Ｅを介して床施工工事用ページ１２ａにステップが戻る。
【００４２】
次に、以上のように場所選択ページ１２ｃで適用場所が決定されると、図４及び図５に示すように、第二の選択項目として材質選択ページ１２ｄが表示される。この材質選択ページ１２ｄは、接着箇所の材質を選択するもので、図４において、プルダウンメニュー形式で選択メニュー１４が表示される。プルダウンメニューとしては、例えば、ビニル床タイル、クッションフロアー等の選択肢が予め設けられており、それらのうちの一つを選択する。そして、一つの選択肢を選択したら、図５に示す材質選択ページ１２ｄに設けられたリンク「決定」を指示して、接着箇所の材質について指定する。
【００４３】
上記のように、材質選択ページ１２ｄで接着箇所の材質について決定されると、その信号がサーバ２の業務用接着剤選定処理部５ｐに送られる。このとき、図５に示す材質選択ページ１２ｄには、必要に応じて前ページの場所選択ページ１２ｃに戻るためのリンク「場所選択ページへ」が設けられており、これを指示することで場所選択ページ１２ｃに戻ることができる。この場合、図４において、結合子Ｆを介して場所選択ページ１２ｃにステップが戻る。また、最初の床施工工事用ページ１２ａに戻るためのリンク「床施工工事用ページへ」が設けられており、これを指示することで床施工工事用ページ１２ａに戻ることができる。この場合、図４において、結合子Ｅを介して床施工工事用ページ１２ａにステップが戻る。
【００４４】
次に、以上のように材質選択ページ１２ｄで接着箇所の材質について決定されると、図４及び図５に示すように、選定結果ページ１２ｅが表示される。この選定結果ページ１２ｅは、図１に示す情報端末装置３によりサーバ２の業務用接着剤選定処理部５ｐ及びデータベース１の第２のデータ群Ｄ2にアクセスして順次接着適用条件を指定し、該サーバ２の業務用接着剤選定処理部５ｐで選定された一の接着剤商品の商品情報を情報端末装置３の画面に表示するもので、図４において、携帯電話の画面１５に選定された商品の商品名が表示され、さらに必要に応じてその商品の画像が表示される。そして、この状態で一の接着剤商品を決定したら、図５に示す選定結果ページ１２ｅに設けられたリンク「決定」を指示して、商品決定を指定する。
【００４５】
上記のように、選定結果ページ１２ｅで一の接着剤商品が決定されると、その信号がサーバ２の業務用接着剤選定処理部５ｐに送られる。このとき、図５に示す選定結果ページ１２ｅには、必要に応じて前ページの材質選択ページ１２ｄに戻るためのリンク「前ページへ」が設けられており、これを指示することで材質選択ページ１２ｄに戻ることができる。この場合、図４において、結合子Ｇを介して材質選択ページ１２ｄにステップが戻る。また、最初の床施工工事用ページ１２ａに戻るためのリンク「床施工工事用ページへ」が設けられており、これを指示することで床施工工事用ページ１２ａに戻ることができる。この場合、図４において、結合子Ｅを介して床施工工事用ページ１２ａにステップが戻る。
【００４６】
次に、以上のように選定結果ページ１２ｅで一の接着剤商品が決定されると、「商品の詳細はこちら」のリンクを指示して、図４及び図５に示すように、商品詳細ページ１２ｆが表示される。この商品詳細ページ１２ｆは、図１に示すサーバ２の業務用接着剤選定処理部５ｐで選定された一の接着剤商品に対応する商品詳細説明、商品使用説明、安全情報等の商品情報を表示するもので、図４において、携帯電話の画面１５’に選定された商品の詳細な商品情報が表示され、さらに必要に応じてその商品の画像が表示される。
【００４７】
上記のように、商品詳細ページ１２ｆで商品の詳細な商品情報が表示されると、図５に示す商品詳細ページ１２ｆには、必要に応じて前ページの選定結果ページ１２ｅに戻るためのリンク「前ページへ」が設けられており、これを指示することで選定結果ページ１２ｅに戻ることができる。この場合、図４において、結合子Ｈを介して選定結果ページ１２ｅにステップが戻る。また、最初の床施工工事用ページ１２ａに戻るためのリンク「床施工工事用ページへ」が設けられており、これを指示することで床施工工事用ページ１２ａに戻ることができる。この場合、図４において、結合子Ｅを介して床施工工事用ページ１２ａにステップが戻る。これにより、専門職人が業務用接着剤を対象として一の接着剤商品を、通信ネットワークを介して選定する処理が終了する。
【００４８】
なお、以上の説明においては、業務用接着剤のうち床施工工事用の接着剤を選定する場合について述べたが、壁施工工事用、シーリング工事用の接着剤についても同様の処理により一の接着剤商品を選定することができる。
【図面の簡単な説明】
【００４９】
【図１】本発明による通信ネットワークを介した接着剤選定システムの実施形態を示すブロック図である。
【図２】上記接着剤選定システムにおいて情報端末装置として携帯電話を用い、家庭用接着剤を対象として一の接着剤商品を選定する場合の処理の流れを示すフローチャートである。
【図３】図２に示す処理の流れにおける携帯電話の画面表示例を示す説明図である。
【図４】上記接着剤選定システムにおいて情報端末装置として携帯電話を用い、業務用接着剤を対象として一の接着剤商品を選定する場合の処理の流れを示すフローチャートである。
【図５】図４に示す処理の流れにおける携帯電話の画面表示例を示す説明図である。
【符号の説明】
【００５０】
１…データベース
２…サーバ
３…情報端末装置
４…通信ネットワーク
５ｈ…家庭用接着剤選定処理部
５ｐ…業務用接着剤選定処理部
６…インターフェイス部
Ｄ1…第１のデータ群
Ｄ2…第２のデータ群
【図１】
2010066879.tif 000003
【図２】
2010066879.tif 000004
【図３】
2010066879.tif 000005
【図４】
2010066879.tif 000006
【図５】
2010066879.tif 000007